(57)【要約】【課題】面材が損傷を受けにくく、外部から外されにくい建具を提供する。【解決手段】屋内外を仕切る面材と、前記面材の外周側に設けられる枠部材と、前記枠部材の屋外側に取り付けられる押縁と、前記押縁の屋内側にて前記面材の屋外側への移動を規制する規制部材と、前記規制部材を前記枠部材側に係止するための係止部材と、を備え、前記係止部材は、前記面材の側面と対面する側面対面部を有し、前記規制部材は、前記面材の屋外側にて当該面材と対面する屋外面対面部と、前記係止部材に係止されて当該規制部材の屋外方向への移動が規制される係止規制部と、前記側面対面部と前記枠部材との間に挿入されており、前記屋外面対面部を屋外側に折り曲げようとすると前記側面対面部にて当接して、前記屋外面対面部の屋外側への折り曲げを抑制する折曲抑制部と、を有する。【選択図】図４
2010019021.tif 000002
【特許請求の範囲】
【請求項１】
屋内外を仕切る面材と、
前記面材の外周側に設けられる枠部材と、
前記枠部材の屋外側に取り付けられる押縁と、
前記押縁の屋内側にて前記面材の屋外側への移動を規制する規制部材と、
前記規制部材を前記枠部材側に係止するための係止部材と、
を備え、
前記係止部材は、前記面材の側面と対面する側面対面部を有し、
前記規制部材は、前記面材の屋外側にて当該面材と対面する屋外面対面部と、
前記係止部材に係止されて当該規制部材の屋外方向への移動が規制される係止規制部と、
前記側面対面部と前記枠部材との間に挿入されており、前記屋外面対面部を屋外側に折り曲げようとすると前記側面対面部にて当接して、前記屋外面対面部の屋外側への折り曲げを抑制する折曲抑制部と、を有することを特徴とする建具。
【請求項２】
請求項１に記載の建具であって、
前記係止部材は、前記枠部材に固定された際に前記枠部材との間に空隙を備えて配置され、前記空隙に挿入された前記係止規制部を係止する係止部を有し、
前記係止規制部は、前記空隙に前記係止部と対向するように挿入されて前記係止部に係止され、前記折曲抑制部は見込み方向に挿入されて、対向している前記係止規制部と前記係止部との側方に配置されることを特徴とする建具。
【請求項３】
請求項１または請求項２に記載の建具であって、
前記係止部材は、前記面材と前記枠部材との間に挿入された前記折曲抑制部を、前記面材と前記枠部材との間から引き出すべく挿入される部材の進入を妨げる進入防止部を有することを特徴とする建具。
【請求項４】
請求項３に記載の建具であって、
前記進入防止部は、前記折曲抑制部が挿入される方向に沿う壁部であって、
挿入された前記折曲抑制部に対し前記係止部と反対側に配置されていることを特徴とする建具。
【請求項５】
請求項１乃至請求項４のいずれかに記載の建具であって、
前記係止部材は、前記面材の見付け方向における位置を規制するセッティングブロックであることを特徴とする建具。
【発明の詳細な説明】
【技術分野】
【０００１】
本発明は、面材の屋外側への移動を規制する規制部材を有する建具に関する。
【背景技術】
【０００２】
面材の屋外側への移動を規制する規制部材を有する建具としては、たとえば、面材としてのガラスと対峙する外れ止め片と、外れ止め片とほぼ直角をなし、ガラスと枠との間に挿入されて枠側に係止される取付片とが、ほぼＬ字状に形成された外れ止め部材を備えた建具が知られている。
【０００３】
しかしながら、このような建具は、外れ止め部材の外れ止め片がガラスから離れる方向に曲げ起こされるとガラスが外されてしまう虞がある。このため、外れ止め片が容易に曲げ起こされないように、外れ止め片から延出させた延出部を設け、延出部を折り曲げるとともにガラスと枠との間に挿入させ、外れ止め片を面材から離れる方向に曲げ起こそうとすると、延出部がガラスの外周部に当接して曲げ起こされないように構成された建具がある（例えば、特許文献１参照）。
【特許文献１】特開２００５−１９４７２６号公報
【発明の開示】
【発明が解決しようとする課題】
【０００４】
しかしながら、延出部が設けられた外れ止め部材にて、ガラス等の面材が外れないように構成された建具では、例えば、面材に風圧がかかって面材が見込み方向に僅かに揺れることによっても、外れ止め片が面材に押され曲げ起こされる方向に力が作用することがある。このとき、外れ止め片が曲げ起こされる方向に変形し、延出部が面材の外周部に繰り返し接触すると、面材に傷やヒビ割れが生じる虞がある。また、面材が複層ガラスの場合には、２枚のガラスの周縁部に設けられたシール材が傷つけられて気密状態が維持できない虞があるという課題がある。
【０００５】
本発明は、かかる課題に鑑みてなされたものであり、その目的とするところは、面材が損傷を受けにくく、外部から外されにくい建具を提供することにある。
【課題を解決するための手段】
【０００６】
かかる目的を達成するために本発明の建具は、屋内外を仕切る面材と、前記面材の外周側に設けられる枠部材と、前記枠部材の屋外側に取り付けられる押縁と、前記押縁の屋内側にて前記面材の屋外側への移動を規制する規制部材と、前記規制部材を前記枠部材側に係止するための係止部材と、を備え、前記係止部材は、前記面材の側面と対面する側面対面部を有し、前記規制部材は、前記面材の屋外側にて当該面材と対面する屋外面対面部と、前記係止部材に係止されて当該規制部材の屋外方向への移動が規制される係止規制部と、前記側面対面部と前記枠部材との間に挿入されており、前記屋外面対面部を屋外側に折り曲げようとすると前記側面対面部にて当接して、前記屋外面対面部の屋外側への折り曲げを抑制する折曲抑制部と、を有することを特徴とする建具である。
【０００７】
このような建具によれば、屋外面対面部を屋外側に折り曲げようとすると、屋外面対面部の屋外側への折り曲げを抑制する折曲抑制部が側面対面部に当接するので、折曲抑制部は面材に接触することなく、屋外面対面部の屋外側への折り曲げを抑制することが可能である。このため、面材に風圧等がかかって面材が見込み方向に揺れて屋外面対面部が屋外側へ折り曲げられる方向に変形した場合であっても、折曲抑制部によって面材に傷やヒビ割れが生じる虞はない。よって、面材が損傷を受けにくく、外部から外されにくい建具を提供することが可能である。
【０００８】
かかる建具であって、前記係止部材は、前記枠部材に固定された際に前記枠部材との間に空隙を備えて配置され、前記空隙に挿入された前記係止規制部を係止する係止部を有し、前記係止規制部は、前記空隙に前記係止部と対向するように挿入されて前記係止部に係止され、前記折曲抑制部は見込み方向に挿入されて、対向している前記係止規制部と前記係止部との側方に配置されることが望ましい。  
このような建具によれば、係止規制部が係止部に係止されると、折曲抑制部は対向している前記係止規制部と前記係止部との側方に配置されるので、折曲抑制部をさらに折り曲げようとしても折曲抑制部は係止部に当接されて折り曲げられない。よって、より防犯性の高い建具を提供することが可能である。
【０００９】
かかる建具であって、前記係止部材は、前記面材と前記枠部材との間に挿入された前記折曲抑制部を、前記面材と前記枠部材との間から引き出すべく挿入される部材の進入を妨げる進入防止部を有することが望ましい。  
このような建具によれば、係止部材が、折曲抑制部を面材と枠部材との間から引き出すべく挿入される部材の進入を妨げる進入防止部を有しているので、折曲抑制部が面材と枠部材との間から引き出されることを防止することが可能である。このため、屋外側からは面材は外されにくいので高い防犯性を備えた建具を提供することが可能である。
【００１０】
かかる建具であって、前記進入防止部は、前記折曲抑制部が挿入される方向に沿う壁部であって、挿入された前記折曲抑制部に対し前記係止部と反対側に配置されていることが望ましい。  
このような建具によれば、進入防止部としての折曲抑制部が挿入される方向に沿う壁部が係止部と反対側に配置されるので、たとえ折曲抑制部を面材と枠部材との間から引き出すべく挿入される部材が面材と枠部材との間に挿入されたとしても、挿入された部材を折曲抑制部に接触させることはできない。このため、折曲抑制部が面材と枠部材との間から引き出されることをより確実に防止することが可能である。
【００１１】
かかる建具であって、前記係止部材は、前記面材の見付け方向における位置を規制するセッティングブロックであることが望ましい。  
このような建具によれば、面材は係止部材により見付け方向における位置が規制されるので、面材の見付け方向の位置を規制するためのセッティングブロックを別途設ける必要がない。このため、部材点数および施工時の手間を削減することが可能であり、また、コストを低減することが可能である。
【発明の効果】
【００１２】
本発明によれば、面材が損傷を受けにくく、外部から外されにくい建具を提供することが可能である。
【発明を実施するための最良の形態】
【００１３】
以下、本発明の一実施形態に係る建具について図を参照して説明する。  
本実施形態に係る建具として、屋内外を仕切る面材が開閉不能に枠部材に取り付けられたＦＩＸ窓用の建具を例に挙げて説明する。以下の説明では、建具を屋外側から見たときに上下となる方向を上下方向、左右となる方向を左右方向または見付け方向、屋内外方向である奥行き方向を見込み方向として示す。
【００１４】
本実施形態のＦＩＸ窓用の建具１０は、図１、図２に示すように、面材としてのガラス１２と、ガラス１２の外周側に設けられる枠部材１６と、枠部材１６の屋外側に取り付けられ、枠部材１６とともにガラス１２を保持する押縁１８と、押縁１８の屋内側にてガラス１２の屋外側への移動を規制する規制部材２０と、規制部材２０を枠部材１６側に係止するための係止部材３０と、を備えている。
【００１５】
ガラス１２は、２枚の板ガラスを互いに間隔を隔てて対面させて一体化した複層ガラスである。
【００１６】
枠部材１６は、樹脂製の４本の押し出し成形部材が枠組みされて矩形状に形成されおり、成形部材にて四方が囲まれた領域内にはガラス１２が取り付けられる。枠部材１６の屋内側の部位には、全周にわたり、ガラス１２が取り付けられる領域の内側に突出させて、シール部材５０を介してガラス１２の屋内側の面が当接されるガラス当接部１６ａが設けられている。
【００１７】
また、枠部材１６の屋外側の部位には、全周にわたり、押縁１８が嵌め付けられる押縁取付凹部１６ｂが設けられている。すなわち、ガラス１２は、枠部材１６の屋内側に設けられたガラス当接部１６ａと、屋外側に嵌め付けられた押縁１８との間にシール部材５０を介して保持される。このとき、ガラス１２の下面１２ｂと枠部材１６の内周面１６ｃとの間には、２カ所にセッティングブロック５２が介在されてガラス１２が位置決めされている。なお、本実施形態の押縁１８は、シール部材５０が一体成形されている。
【００１８】
ガラス１２の左右の側端面１２ａと枠部材１６の内周面１６ｃとの間には、押縁１８が取り外された際にガラス１２が屋外側に外れることを防止するための、ステンレス製の規制部材２０および樹脂製の係止部材３０が設けられている。係止部材３０は、枠部材１６の内周面１６ｃに固定され、規制部材２０は、屋外側から屋内側に向かって挿入されて係止部材３０に係止される。規制部材２０が係止部材３０に係止されることによりガラス１２の屋外側への移動が規制される。以下の説明では、規制部材２０および係止部材３０が取り付けられた状態にて上下となる方向を上下方向とし、規制部材２０が挿入される先側を屋内側として説明する。
【００１９】
係止部材３０は、図３、図４に示すように、枠部材１６の内周面１６ｃにビス６０にて固定されている。係止部材３０は、樹脂製のブロック状の部材であり、枠部材１６に取り付けられた状態にて上端部と下端部とに見込み方向に貫通し断面が矩形状の中空部３１と、上下の中空部３１の枠部材１６側の縁部を繋ぎ枠部材１６に当接される枠当接壁部３３と、上下の中空部３１における見付け方向のほぼ中央にて上下の中空部３１を繋ぐ係止部としての中央壁部３５と、中央壁部３５からガラス１２側に突出されて、係止部材３０を枠部材１６に固定するためのビス６０が貫通される固定孔３７ａが設けられた中央突部３７と、枠当接壁部３３と中央壁部３５とを、それらの中央にて繋ぐように設けられ固定孔３７ａが貫通される中継部（不図示）と、を有している。
【００２０】
上下の中空部３１の枠部材１６側の面と枠当接壁部３３の枠部材１６側の面とは平坦に形成されており、上下の中空部３１および枠当接壁部３３が枠部材１６に当接されて固定される。また、固定孔３７ａは、中央突部３７のガラス１２側の面から枠当接壁部３３の枠部材１６側の面まで貫通されており、中央突部３７のガラス１２側には、ビス６０の頭部が収容される座ぐり３７ｂが設けられている。また、上下の中空部３１のガラス１２側の面と中央突部３７のガラス１２側の面とは、同一平面を形成するように構成されており、ガラス１２の側面と対面してガラス１２の見付け方向の位置決めをするので、係止部材３０は、所謂セッティングブロックとしても機能している。
【００２１】
中央壁部３５には、中央突部３７の上側と下側とにそれぞれ、見付け方向に貫通する矩形状の係止孔３５ａが形成されている。係止孔３５ａには、規制部材２０の後述する係止片２１が係止される。
【００２２】
規制部材２０は、枠部材１６に固定された係止部材３０の枠当接壁部３３と中央壁部３５とに沿って、中央壁部３５と枠部材１６との間の空隙、すなわち当該枠当接壁部３３と中央壁部３５との間の空隙に挿入される係止規制部２２と、係止規制部２２の屋外側の縁部から延出され係止規制部２２とほぼ直角をなすように形成されガラス１２の屋外側の面と対面する屋外面対面部２３と、屋外面対面部２３とほぼ直角をなし、当該屋外面対面部２３の上下の端部から屋内側に延出された折曲抑制部としての見込み方向延出部２４と、を有している。
【００２３】
係止規制部２２は、上下方向の幅が係止部材３０の上下の中空部の間隔より僅かに狭い板状の部位であり、上下方向における中央の屋内側は、枠当接壁部３３と中央壁部３５との間に挿入された際に、係止部材３０の中継部との干渉を避けるために切り欠かれている。また、係止規制部２２の切り欠かれた部位より、上側および下側にはそれぞれ、係止規制部２２が枠当接壁部３３と中央壁部３５との間との間に挿入された際に中央壁部３５の係止孔３５ａに係止される係止片２１が形成されている。
【００２４】
係止片２１は、係止規制部２２を切り起こして形成されており、屋外側に向かって枠当接壁部３３から順次離れるように傾斜している。また、係止片２１は、ステンレス材が有する弾性により曲げ角度が僅かに変化して復元可能に弾性変化する。このため、係止規制部２２が枠当接壁部３３と中央壁部３５との間に挿入される際には、係止片２１が中央壁部３５と接触して枠当接壁部３３側に押されて曲げ戻され、係止片２１が係止孔３５ａに至って復元されることにより係止片２１の先端が係止孔３５ａの縁に当接して、規制部材２０が係止部材３０に係止される。規制部材２０が係止部材３０に係止されると、規制部材２０は屋外側への移動が規制される。
【００２５】
屋外面対面部２３は、規制部材２０が係止部材３０に係止された状態で、その先端２３ａがガラス１２の側端面１２ａよりガラス１２の中央側に位置している。このため、規制部材２０が係止部材３０に係止されると、ガラス１２の屋外側に規制部材２０の屋外面対面部２３が突出した状態となるので、ガラス１２を屋外側に移動させようとするとガラス１２は屋外面対面部２３と接触するので外すことはできない。
【００２６】
見込み方向延出部２４は、屋外面対面部２３と同一面の上下に繋がった部位が屋内方向にほぼ直角に折り曲げられて形成されている。このため、規制部材２０が係止部材３０に係止された状態で、見込み方向延出部２４はほぼ水平をなし、係止部材３０が有する上下の中空部３１の上下方向に沿う縦壁部３１ａ、３１ｂとほぼ直交し、水平壁部３１ｃ、３１ｄとほぼ平行をなすように配置される。
【００２７】
規制部材２０が係止部材３０に係止された状態では、見込み方向延出部２４は見込み方向に挿入されて、対向している係止規制部２２と中央壁部３５との上下方向における側方に配置される。すなわち、上側の見込み方向延出部２４の下側に上側の中空部３１の下側の水平壁部３１ｄが位置しており、下側の見込み方向延出部２４の上側に下側の中空部３１の上側の水平壁部３１ｄが位置している。このため、上下の見込み方向延出部２４が中央壁部３５を挟むように、水平壁部３１ｄに沿って隣接して配置されているので、上側の見込み方向延出部２４を下方に、また、下側の見込み方向延出部２４を上方にそれぞれ折り込むことができないように構成されている。
【００２８】
また、上下の見込み方向延出部２４は、係止部材３０の上下の中空部３１に挿入されているので、屋外面対面部２３を屋外側に折り曲げようとすると、見込み方向延出部２４が上下の中空部３１のガラス１２側の部位、すなわち、ガラス側の縦壁部３１ａに当接されるので、屋外面対面部２３を屋外側に折り曲げることはできない。このため、屋外側からの操作では、屋外面対面部２３をガラス１２の屋外側の領域から取り除くことはできないので、屋外側からガラス１２を外すことができない。
【００２９】
また、見込み方向延出部２４は、屋外面対面部２３から延出された部位が折り曲げられて形成されているが、屋外面対面部２３を屋外側に折り曲げようとしたときに見込み方向延出部２４は曲げられた方向と交差する方向に移動されてガラス１２側の部位となる縦壁部３１ａに当接される。このため、屋外面対面部２３を屋外側に折り曲げようとしたとしても、見込み方向延出部２４は変形しにくいため、より確実に屋外面対面部２３が屋外側に折り曲げられることを防止することが可能である。ここで、屋外面対面部２３を屋外側に折り曲げようとすると、見込み方向延出部２４が当接される、上下の中空部３１のガラス１２側の縦壁部３１ａは、側面対面部の一例である。
【００３０】
さらに、規制部材２０が係止部材３０に係止された状態、すなわち、見込み方向延出部２４が上下の中空部３１に挿入された状態では、上側の中空部３１の上端側の水平壁部３１ｃは上側の見込み方向延出部２４に対し中央壁部３５と反対側、すなわち上側に配置され、下側の中空部３１の下端側の水平壁部３１ｃは下側の見込み方向延出部２４に対し中央壁部３５と反対側、すなわち下側に配置される。このため、たとえ見込み方向延出部２４をガラス１２と枠部材１６との間から引き出すべく挿入される例えばドライバーのようなものがガラス１２と枠部材１６との間に挿入されたとしても、見込み方向延出部２４に接触することはできない。よって、見込み方向延出部２４がガラス１２と枠部材１６との間から引き出されることをより確実に防止することが可能である。すなわち、上側の中空部３１の上側の水平壁部３１ｃと、下側の中空部３１の下側の水平壁部３１ｃとは、見込み方向延出部２４をガラス１２と枠部材１６との間から引き出すべく挿入される部材の進入を妨げる進入防止部である。
【００３１】
本実施形態の建具１０は、まず、枠部材１６がセッティングブロック５２と係止部材３０とを備えて躯体に取り付けられた状態にて、ガラス１２をセッティングブロック５２上に載置するとともに左右の係止部材３０にて左右を位置あわせして配置する。そして、屋外側から係止部材３０の枠当接壁部３３と中央壁部３５との間の空隙に、係止規制部２２挿入させるとともに、見込み方向延出部２４を上下の中空部３１に挿入して、各係止部材３０に規制部材２０を係止する。最後に屋外側から押縁１８を嵌合して施工を完了する。
【００３２】
本実施形態の建具１０によれば、屋外面対面部２３を屋外側に折り曲げようとすると、屋外面対面部２３の屋外側への折り曲げを抑制する見込み方向延出部２４が上下の中空部３１のガラス１２側の縦壁部３１ａに当接するので、見込み方向延出部２４はガラス１２には接触しない。このため、ガラス１２に風圧等がかかってガラス１２が見込み方向に揺れて屋外面対面部２３が屋外側へ折り曲げられる方向に変形した場合であっても、見込み方向延出部２４によってガラス１２に傷やヒビ割れが生じる虞はない。よって、ガラス１２が損傷を受けにくく、外部から外されにくい建具１０を提供することが可能である。
【００３３】
また、係止規制部２２が係止部材３０に係止されると、見込み方向延出部２４は見込み方向に沿って中央壁部３５の上下方向における側方に配置されるので、見込み方向延出部２４をさらに折り曲げようとしても見込み方向延出部２４が中央壁部３５の端部に設けられた中空部３１の水平壁部３１ｄに当接されて折り曲げられない。よって、より防犯性の高い建具１０を提供することが可能である。
【００３４】
また、係止部材３０が、見込み方向延出部２４をガラス１２と枠部材１６との間から引き出すべく挿入される部材の進入を妨げる中空部３１の水平壁部３１ｃを有しているので、見込み方向延出部２４がガラス１２と枠部材１６との間から引き出されることを防止することが可能である。すなわち、見込み方向延出部２４はガラス１２と枠部材１６との間に位置する係止部材３０の中空部３１に挿入されているので、屋外面対面部２３を屋外側に折り曲げようとしても見込み方向延出部２４が中空部３１の縦壁部３１ａに当接されるため屋外面対面部２３が屋外側に折り曲げられ難い。このため、屋外側からはガラス１２は外されにくいので高い防犯性を備えた建具１０を提供することが可能である。
【００３５】
また、ガラス１２は係止部材３０により見付け方向における位置が規制されるので、ガラス１２の見付け方向の位置を規制するためのセッティングブロックを別途設ける必要がない。このため、部材点数および施工時の手間を削減することが可能であり、また、コストを低減することが可能である。
【００３６】
次に、変形例について説明するが、上記実施形態と同様または相当する構成には、同じ符号を付してその説明を省略または簡略化する。
【００３７】
上記実施形態においては、規制部材２０の見込み方向延出部２４が挿入される部位を、見込み方向延出部２４が囲まれるような中空部３１としたが、これに限るものではない。例えば図５に示すように、上記実施形態の係止部材３０が有する上下の中空部３１の枠部材１６側の縦壁部３１ｂや枠当接壁部３３が設けられていない構成や、図６に示すように、係止部材３０の上端と下端の水平壁部３１ｃおよび枠部材１６側の縦壁３１ｂを備えない構成であってもよい。このような、係止部材であっても、少なくとも、ガラス１２に風圧等がかかって屋外面対面部２３が屋外側へ折り曲げられる方向に変形した場合であっても、見込み方向延出部２４がガラスに１２に当接されないので、ガラス１２に傷やヒビ割れが生じる虞はない。
【００３８】
また、上記実施形態においては、係止部材３０に規制部材２０を挿入した際に、規制部材２０に設けられた係止片２１が、係止部材３０に設けられ係止孔３５ａに係止されて規制部材２０取り付けられる例について説明したが、これに限るものではない。たとえは、図７、図８に示すように係止部材４０側に設けられた爪部４１が規制部材４５側に設けられた孔部４６に係止されることにより規制部材４５が取り付けられる構成であってもよい。このとき、係止部材４０に設けられた爪部４１の屋外側の面４１ａは枠部材１６側に向かって順次屋内側に位置する傾斜を備えていることが望ましい。
【００３９】
また、セッティングブロックとしても機能する上記係止部材３０が、上下の中空部３１と中央突部３７とのガラス１２と対向する面にてガラス１２が規制される例について説明したが、図９（ａ）に示すように、係止部材４８は、中央突部３７をガラス１２側の縦壁部３１ａよりガラス１２側に突出させて、中央突部３７のみにてガラス１２を規制する構成としてもよい。
【００４０】
また、図９（ｂ）に示すように、中央突部３７と中央突部３７の水平壁部３１ｃをガラス１２側の縦壁部３１ａより延出させて、中央突部３７と水平壁部３１ｄの延出された部位３１ｅとにてガラス１２を規制する構成としても良い。このとき、中央突部３７とガラス１２側の縦壁部３１ａより延出させる水平壁部は、上下端側の水平壁部３１ｃであってもよい。
【００４１】
上記実施形態においては、係止部材３０を樹脂にて形成した例について説明したが、例えば図１０に示すようなステンレス製の板金部材による係止部材４９や、アルミニウム製の成型部材としても良い。図１０に示す係止部材４９の場合には、枠部材１６に当接される枠当接板部４９ａの中央側の縁からガラス１２側に延出させて進入防止部となる壁部４９ｂを形成し、進入防止部の先端を円弧状に屈曲させた屈曲部４９ｃを備えておく。そして、屋外側から挿入された規制部材２０の見込み方向延出部２４は、規制部材２０が係止される係止部４９ｄと壁部４９ｂとの間に挿入される。そして、ガラス１２に風圧等がかかって屋外面対面部２３が屋外側へ折り曲げられる方向に変形した場合には、見込み方向延出部２４が屈曲部４９ｃに当接されるのでガラス１２に傷やヒビ割れが生じることを防止することが可能である。
【００４２】
上記実施形態においては、面材が開閉不能に枠部材に取り付けられたＦＩＸ窓用の建具を例に挙げて説明したが、建具は、障子が開閉可能に取り付けられた開き窓、引き違い窓や片引き窓、倒し窓など用の建具であってもかまわない。この場合には、枠部材は、障子を構成する框となる。
【００４３】
また、上記実施形態では、枠部材を樹脂製としたが、例えばアルミニウム製の押し出し部材であってもよい。また、面材を複層ガラスとしたが、これに限らず、面材は１枚の板ガラスでもよいし、ガラスでなくでもよい。
【００４４】
上記実施形態においては、係止部材３０と規制部材２０とをガラス１２の側方のみに設けた例について説明したが、ガラス１２の上下に設けても良い。
【００４５】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４６】
【図１】本実施形態に係る建具を屋外側から見た図である。
【図２】図１におけるＡ−Ａ断面図である。
【図３】規制部材と係止部材の構成を説明するための平断面図である。
【図４】規制部材が係止部材に取り付けられる様子を説明するための図である。
【図５】係止部材の第１変形例を示す図である。
【図６】係止部材の第２変形例を示す図である。
【図７】係止部材の第３変形例を示す図である。
【図８】図７のＢ−Ｂ断面図である。
【図９】係止部材の第４変形例を示す図である。
【図１０】係止部材の第５変形例を示す図である。
【符号の説明】
【００４７】
１０  建具、１２  ガラス、１６  枠部材、１８  押縁、２０  規制部材、
２１  係止片、２２  係止規制部、２３  屋外面対面部、２４  見込み方向延出部、
３０  係止部材、３１ａ  縦壁部、３１ｃ  水平壁部、３５  中央突部、
３５ａ  係止孔、３７  中央突部
【図１】
2010019021.tif 000003
【図２】
2010019021.tif 000004
【図３】
2010019021.tif 000005
【図４】
2010019021.tif 000006
【図５】
2010019021.tif 000007
【図６】
2010019021.tif 000008
【図７】
2010019021.tif 000009
【図８】
2010019021.tif 000010
【図９】
2010019021.tif 000011
【図１０】
2010019021.tif 000012